(57)【要約】      （修正有）【課題】使用者の体格や目的に応じて、押圧する部位を容易に選択することができ、さらに、押圧する圧力を調節可能とした指圧用押圧器を提供する。【解決手段】第１押圧部材１０と、第１押圧部材１０に装着可能な第２押圧部材２０と、を有する指圧用押圧器であって、前記第１押圧部材１０は、表面及び裏面を有する本体部１１と、前記表面に相互に間隔をおいて設けられた複数の第１突起１２ａ〜ｆとを備え、前記第２押圧部材２０は、表面及び裏面を有する板状部材２１と、その板状部材２１の表面に間隔をおいて設けられた複数の第２突起２２と、前記板状部材２１に設けられ、前記第１突起がそれぞれ貫通可能な複数の貫通孔と、を備え、前記第１押圧部材１０と前記第２押圧部材２０の間には、前記第２突起２２の高さを調節する高さ調節部材３０が設けられる。【選択図】図２
0003196999.tif 000002
【実用新案登録請求の範囲】
【請求項１】
第１押圧部材と、第１押圧部材に装着可能な第２押圧部材と、を有する指圧用押圧器であって、
前記第１押圧部材は、表面及び裏面を有する本体部と、前記表面に相互に間隔をおいて設けられた複数の第１突起とを備え、
前記第２押圧部材は、表面及び裏面を有する板状部材と、その板状部材の表面に間隔をおいて設けられた複数の第２突起と、前記板状部材に設けられ、前記第１突起がそれぞれ貫通可能な複数の貫通孔と、を備えていることを特徴とする、指圧用押圧器。
【請求項２】
前記第１突起は、仙骨の形状に沿って配置され、前記第２突起は、背骨の並びに沿って配置されていることを特徴とする、請求項１に記載の指圧用押圧器。
【請求項３】
前記本体部の裏面は、その裏面側が膨らむように湾曲した曲面に形成されていることを特徴とする、請求項１または請求項２に記載の指圧用押圧器。
【請求項４】
前記第１押圧部材と前記第２押圧部材との間には、前記第２突起の高さを調節する高さ調節部材が設けられていることを特徴とする、請求項１〜３の何れかに記載の指圧用押圧器。
【請求項５】
前記高さ調節部材は、厚みを有する板状に形成され、前記第１突起がそれぞれ貫通可能な複数の貫通孔を備えていることを特徴とする、請求項１〜４の何れかに記載の指圧用押圧器。
【請求項６】
皮膚を押圧するための突起部を有する指圧用押圧器であって、
表面および裏面を有する本体部と、
前記表面に設けられた複数の突起部と、を備え、
前記裏面が曲面に形成されていることを特徴とする、指圧用押圧器。
【請求項７】
前記突起部は、仙骨の形状に沿って配置された突起を有していることを特徴とする、請求項６に記載の指圧用押圧器具。
【請求項８】
前記突起部は、背骨の並びに沿って配置された突起をさらに有し、
前記背骨の並びに沿って配置された突起は、前記仙骨の形状に沿って配置された突起よりも低い高さに設定されていることを特徴とする、請求項７に記載の指圧用押圧器。
【考案の詳細な説明】
【技術分野】
【０００１】
本考案は、身体のつぼの指圧に用いる指圧用押圧器に関する。
【背景技術】
【０００２】
従来、健康促進や疲労回復、背骨矯正などの様々な目的のために、身体のつぼを指圧することが一般的に行われており、特に、指圧師による施術が効果的な手法として広く知られている。
【０００３】
しかしながら、この指圧師による施術は、希望した時に即座に受けられるものではなく、さらに、指圧師に短周期で依頼すると費用が嵩んでしまうという問題があった。
そのため、従来から、自分自身で身体のつぼを押圧することで指圧効果を得る、いわゆる、自己指圧を行うことができる指圧用押圧器が各種販売されている。
【０００４】
このうち、身体の自重を利用して指圧効果を得るものとして、基台の一面に突起が一定間隔ごとに備えられた指圧用押圧器が従来から知られており、近年、この指圧用押圧器に関して種々の改良が成されている。例えば、特許文献１には、複数の突起の相対位置を調節する技術が記載されており、特許文献２には、突起の高さを調節する技術が記載されている。
【先行技術文献】
【特許文献】
【０００５】
【特許文献１】特開平９−４７４８３号公報
【特許文献２】特開平２００５−２７０５１３号公報
【考案の概要】
【考案が解決しようとする課題】
【０００６】
ところで、指圧師が施術を効果的に行うためには、目的に適合した身体のつぼを、適切な圧力で押圧する必要がある。例えば、押圧マッサージを行う際には、年齢や体格によって、押圧するつぼや押圧圧力を変化させる必要があるし、また、背骨の歪みを矯正する背骨矯正を効果的に行うためには、背骨に対して弱く圧力を付加することが必要である。
【０００７】
しかしながら、前述した特許文献１や特許文献２に記載の技術においては、使用者の体格に合わせて突起の相対位置や高さを調節することはできるものの、背骨に対して弱い圧力を付加するといったような、身体の特定のつぼを選択して、そのつぼに適切な圧力を付加することができないという問題がある。
【０００８】
また、使用者の目的や症状に応じて、適切なつぼを選択したり、選択したつぼを適切な圧力で押圧するには、指圧に対する正確な知識が必要である。そのため、知識を有さない者が、特許文献１や特許文献２に記載の指圧用押圧器を使用する場合には、効果的な指圧を行うことができない場合が生じてしまうという問題がある。
【０００９】
そのため、指圧用押圧器は、指圧に対して正確な知識を有さない者であっても、体格や目的に応じて、効果のあるつぼを容易に選択することができ、さらに、効果のある押圧圧力を容易に得られることが望ましい。
【００１０】
本考案は、上記実情に鑑みてなされたものであり、使用者の体格や目的に応じて、押圧するつぼを容易に選択することができ、さらに、押圧する圧力を調節可能とした指圧用押圧器を提供することを課題とする。
【課題を解決するための手段】
【００１１】
上記課題を解決するため、本考案の指圧用押圧器は、第１押圧部材と、第１押圧部材に装着可能な第２押圧部材と、を有する指圧用押圧器であって、
前記第１押圧部材は、表面及び裏面を有する本体部と、前記表面に相互に間隔をおいて設けられた複数の第１突起とを備え、
前記第２押圧部材は、表面及び裏面を有する板状部材と、その板状部材の表面に間隔をおいて設けられた複数の第２突起と、前記板状部材に設けられ、前記第１突起がそれぞれ貫通可能な複数の貫通孔と、を備えていることを特徴とする。
【００１２】
このように、第１押圧部材と第２押圧部材で、それぞれ異なる位置に突起（第１突起、第２突起）が設けられていることにより、第１押圧部材と第２押圧部材とで異なる指圧効果を発揮させることができる。
さらに、第２押圧部材は、第１押圧部材に装着可能としていることで、第２押圧部材の指圧効果を容易に付加することができ、この指圧用押圧器の使用者は、目的に応じて突起の配置を容易に選択することができる。
【００１３】
本考案の好ましい形態では、前記第１突起は、仙骨の形状に沿って配置され、前記第２突起は、背骨の並びに沿って配置されていることを特徴とする。
このように、第１突起を仙骨の形状に沿って配置することで、仙骨部〜腰椎部や肩甲間部〜頸椎を効果的に指圧することができ、また、第２突起を背骨の並びに沿って配置することで、背骨矯正を効果的に行うことができる。
【００１４】
本考案の好ましい形態では、前記本体部の裏面は、その裏面側が膨らむように湾曲した曲面に形成されていることを特徴とする。
このように、裏面側が曲面に形成されていることで、この指圧用押圧器の使用時に体重移動した場合であっても、突起が押圧しているつぼからずれることなく追随することができるため、効果的につぼを押圧し続けることができる。
【００１５】
本考案の好ましい形態では、前記第１押圧部材と前記第２押圧部材との間には、前記第２突起の高さを調節する高さ調節部材が設けられていることを特徴とする。
このように、第１押圧部材と前記第２押圧部材との間に、高さ調節部材を設けたことにより、第１突起と第２突起の相対高さを調節することができ、第１突起および第２突起の押圧圧力を調節して、使用者の目的や体格に合わせた指圧を行うことができる。
また、高さ調節部材を着脱して指圧用押圧器の厚みを調節することで、様々な体格の人に適用することができる。
【００１６】
本考案の好ましい形態では、前記高さ調節部材は、厚みを有する板状に形成され、前記第１突起がそれぞれ貫通可能な複数の貫通孔を備えていることを特徴とする。
このように、高さ調節部材を形成することで、第２押圧部材全体を均一に高さ調節することができる。
【００１７】
本考案によれば、皮膚を押圧するための突起部を有する指圧用押圧器であって、表面および裏面を有する本体部と、前記表面に設けられた複数の突起部と、を備え、前記裏面が曲面に形成されていることを特徴とする。
このように、裏面側が曲面に形成されている押圧部材を単体で使用する場合であっても、突起が押圧しているつぼからずれることなく追随する効果を発揮することができる。
【００１８】
本考案によれば、前記突起部は、仙骨の形状に沿って配置された突起を有していることを特徴とする。
このように、押圧部材を単体で使用する場合であっても、仙骨部〜腰椎部や肩甲間部〜頸椎を効果的に指圧することができる。
【００１９】
本考案によれば、前記突起部は、背骨の並びに沿って配置された突起をさらに有し、前記背骨の並びに沿って配置された突起は、前記仙骨の形状に沿って配置された突起よりも低い高さに設定されていることを特徴とする。
このように、押圧部材を単体で使用する場合であっても、背骨矯正を効果的に行うことができる。
【考案の効果】
【００２０】
本考案によれば、使用者の体格や目的に応じて、押圧するつぼを容易に選択することができ、さらに、押圧する圧力を調節可能とした指圧用押圧器を提供することができる。
【図面の簡単な説明】
【００２１】
【図１】本考案の実施形態１に係る指圧用押圧器を示す斜視図である。
【図２】本考案の実施形態１に係る指圧用押圧器を示す分解斜視図である。
【図３】本考案の実施形態１に係る指圧用押圧器の第１押圧部材を示し、（ａ）は背面図、（ｂ）は図３（ａ）のＡ−Ａ線断面図、（ｃ）は平面図、（ｄ）は側面図を示す。
【図４】本考案の実施形態１に係る指圧用押圧器の第２押圧部材を示し、（ａ）は平面図、（ｂ）は図４（ａ）のＢ−Ｂ線断面図、（ｃ）は図４（ａ）のＣ−Ｃ線断面図、（ｄ）は図４（ａ）のＤ−Ｄ線断面図を示す。
【図５】本考案の実施形態１に係る指圧用押圧器を示し、（ａ）は平面図を、（ｂ）は高さ調節部材を用いない場合の図５（ａ）のＥ−Ｅ線断面図、（ｃ）は高さ調節部材を用いる場合の図５（ａ）のＥ−Ｅ線断面図を示す。
【図６】本考案の実施形態１に係る指圧用押圧器の使用状態を示し、（ａ）は仰向けに寝て使用する場合、（ｂ）は座った状態で使用する場合を示す。
【図７】本考案の実施形態２に係る指圧用押圧器の部材を示す斜視図である。
【図８】本考案の実施形態２に係る指圧用押圧器の部材を示し、（ａ）は組み合わせた状態の斜視図、（ｂ）は分解側面図を示す。
【考案を実施するための形態】
【００２２】
以下、本考案を図面に示した好ましい実施形態に基づいて詳細に説明するが、本考案の技術的範囲は、添付図面に示された実施形態に限定されるものではなく、実用新案登録請求の範囲に記載された範囲内において適宜変更が可能である。
【００２３】
＜実施形態１＞
図１および図２は、本考案に係る指圧用押圧器の斜視図を示すものである。図１において符号１００で示す指圧用押圧器は、第１押圧部材１０と、この第１押圧部材１０に装着可能な第２押圧部材２０と、第１押圧部材１０と第２押圧部材２０の間に設けられる高さ調節部材３０と、を備えている。
【００２４】
第１押圧部材１０は、図３に示すように、本体部１１と、第１突起１２とを備えている。本体部１１は、表面１１ａと裏面１１ｂとを有しており、表面１１ａ側は平坦に、裏面１１ｂ側は膨らむように湾曲した曲面に形成されている。この裏面１１ｂ側の膨らみは成人男性が使用する場合において、本体部１１の中心位置で３〜５ｃｍ程度の厚みを有している。なお、使用者の体格によって最適な厚みを選択することが望ましい。
【００２５】
第１突起１２は、図３（ｃ）に示すように、本体部１１の表面１１ａ側に６つ設けられ、突起の頂点が丸みを帯びた半球状に形成されており、身体を効果的に押圧できるよう１０〜３０ｍｍ程度の直径と、１８〜２５ｍｍ程度の高さを有している。これらの第１突起１２は、図３（ｄ）に示すように、本体部１１の表面１１ａ側と第１突起１２に設けられた接続孔に、棒状の接続部材１３に差し込むことによって本体部１１と一体に設けられている。なお、この本体部１１と第１突起１２の接続方法としては、本体部１１に第１突起１２が嵌り込む凹部を形成して嵌め込むようにしても良いし、接着剤等で直接接着したり、削り出すことで第１突起１２を形成しても良い。
【００２６】
また、この６つの第１突起１２ａ〜１２ｆの配置は、図３（ｃ）に示すように、平面視で台形状に配置されており、台形の下底の端点である第１突起１２ａと１２ｂの間は幅広に、台形の上底の端点である第１突起１２ｅと１２ｆの間は幅狭にそれぞれ配置されている。また、第１突起１２ｃは、台形の脚の端点である第１突起１２ａと１２ｅの中間位置に、第１突起１２ｄは、第１突起１２ｂと１２ｆの中間位置にそれぞれ配置されている。
このような配置とすることにより、第１突起１２ａと１２ｂが設けられた一端を使用者の頭方向に向けて使用する場合には、仙骨の形状に沿った並びとなり、腰部及び仙骨部を効果的に指圧することができる。また、上下を逆にして第１突起１２ｅと１２ｆが設けられた他端を、頭方向に向けて使用する場合には、肩甲骨に沿った並びとなり、肩甲間部〜頸椎を効果的に指圧することができる。
【００２７】
第２押圧部材２０は、図４に示すように、板状部材２１と、第２突起２２を備えている。この板状部材２１は、表面２１ａと裏面２１ｂとを有する板状に形成され、第１押圧部材に装着した際に、第１突起１２が貫通可能な貫通孔２３を有している。この貫通孔２３は、第１突起１２と同様に６つの貫通孔２３が台形状に設けられており、これら貫通孔２３ａ〜２３ｆは、それぞれ対応する第１突起１２ａ〜１２ｆが挿通される位置に設けられている。このように、第１突起１２は貫通孔２３に挿通される構成となっているため、第１押圧部材１０に第２押圧部材２０を装着した際には、板状部材２１の裏面２１ｂが、本体部１１の表面１１ａと接触するよう構成されている（図５（ｂ）参照）。
【００２８】
また、板状部材２１の表面２１ａ側には、第１突起１２とは異なる位置に第２突起２２が設けられており、仙骨の形状に沿って設けられた４つの仙骨用突起２４と、背骨の並びに沿って設けられた３つの背骨用突起２５とが備えられている。
【００２９】
仙骨用突起２４は、第１突起１２と同様に、突起の頂点が丸みを帯びた半球状に形成されているが、第１突起１２よりも低く設けられおり、１４〜１８ｍｍ程度の高さを有している。
この４つの仙骨用突起２４ａ〜２４ｄの配置は、図４（ａ）に示されているように、平面視で台形を形成するよう配置されており、仙骨用突起２４ａは貫通孔２３ａと２３ｃの中間位置に、仙骨用突起２４ｂは貫通孔２３ｂと２３ｄの中間位置に、仙骨用突起２４ｃは貫通孔２３ｃと２３ｅの中間位置に、仙骨用突起２４ｄは貫通孔２３ｄと２３ｆの中間位置に、それぞれ配置されている。
【００３０】
背骨用突起２５は、仙骨用突起２４と同様に、突起の頂点が丸みを帯びた半球状に形成されているが、仙骨用突起２４よりもさらに低く設けられており、１０〜１４ｍｍ程度の高さを有している。
この３つの背骨用突起２５ａ〜２５ｃの配置は、図４（ａ）に示されているように、仙骨用突起２４ａと２４ｂを結ぶ線の中点と、仙骨用突起２４ｃと２４ｄとを結ぶ線の中点と、を通る中心線Ｃ−Ｃ上に等間隔に３つ配置されている。これは、背骨の並びに沿って配置されており、仙骨用突起２４よりも低く設けられていることにより、背骨を弱く指圧して、背骨矯正を効果的に行うことができる。
【００３１】
高さ調節部材３０は、５〜１０ｍｍ程度の厚みを有する板状に形成された高さ調節部３１と、板状部材２１の貫通孔２３ａ〜２３ｆと同様の位置に設けられた貫通孔３２ａ〜３２ｆと、を備えている。そのため、この高さ調節部材３を設ける場合には、表面および裏面の一面が、本体部１１の表面１１ａと接触し、他面が板状部材２１の裏面２１ｂと接触するよう構成されている（図５（ｃ）参照）。
【００３２】
この第１押圧部材１０、第２押圧部材２０、および、高さ調節部材３０の材料としては、木材が好ましく用いられるが、その他にも、シリコンゴム等の各種ゴムやプラスチック、金属、等を採用しても良い。
【００３３】
次いで、高さ調節部材３０を設けていない場合と、高さ調節部材３０を設けた場合の、本考案に係る指圧用押圧器１００について図５を参照して詳しく説明する。
【００３４】
まず、図５（ａ）は、高さ調節部材３０を設けていない場合（図５（ｂ））、および、高さ調節部材３０を設けた場合（図５（ｃ））の平面図である。
図５（ｂ）は、高さ調節部材３を設けず、第１押圧部材１に第２押圧部材２を直接装着した場合の縦断面図であり、この時、第１突起１２と第２突起２２の頂点高さの関係が相対高さＨ１で示されている。
【００３５】
一方で、図５（ｃ）は、第１押圧部材１と第２押圧部材２の間に、高さ調節部材３を設けた場合の縦断面図を示しており、図５（ｂ）と同様に、第１突起１２と第２突起２２の頂点高さの関係が相対高さＨ２で示されている。この時、この相対高さＨ２は、高さ調節部材３０が設けられて第２突起２２の高さが上昇したことにより、相対高さＨ１よりも小さくなっている。
【００３６】
このように、高さ調節部材３０を設けることで、第１突起１２と、第２突起２２の高さ関係を調節することができる。すなわち、図５（ｂ）に示すような場合には、第１突起１２と第２突起２２との相対高さＨ１が大きくなり、第２突起２２が身体まで十分に到達できず、第２突起２２の押圧圧力は弱くなる。一方で、図５（ｃ）に示すような場合には、相対高さＨ２が小さくなり、第２突起２２が身体に近づくことで、十分な圧力を到達させて押圧圧力を強めることができる。
【００３７】
また、この高さ調節部材３０は、指圧用押圧器１００の厚みを調節する目的で設けても良い。すなわち、高さ調節部材３０を設けない場合は太った人用、高さ調節部材３０を設ける場合は痩せた人用、といったように、体格によって厚みを変更する部材として使用しても良い。
【００３８】
ここまで、主に第１押圧部材に第２押圧部材を装着する場合について説明したが、第２押圧部材は単体で用いることもでき、特に、中高生や小柄な女性等は、第２押圧部材を用いることで、適切な高さでの指圧および背骨矯正を行うことができる。
【００３９】
次いで、本考案に係る指圧用押圧器１００の使用方法について、図６を参照して詳細に説明する。
【００４０】
図６（ａ）および図６（ｂ）は、本考案に係る指圧用押圧器１００の使用例を示しており、ここでは指圧用押圧器１００として第１押圧部材１０を例に図示している。
図６（ａ）は、第１押圧部材１１を平坦な面Ｆの上に置き、人Ｍがその上から仰向けに寝るようにして使用している。この時、肩や背中、腰等の位置に第１突起１２が当たるように体重をかけることで、接触部位が押圧されて、指圧効果が得られる。この時、本体部１１の裏面１１ｂが曲面に形成されていることにより、人Ｍの体勢が変わったり、体重移動した場合であっても、第１突起１２が押圧部位からずれることなく押圧部位を追随することができ、効果的に押圧部位を押圧し続けることが可能となっている。
【００４１】
また、図６（ｂ）に示すように、この指圧用押圧器は椅子Ｓに座っている際にも同様に使用することができる。この時、図には示していないが、椅子の背もたれに指圧用押圧器を収納する収納部（ポケット等）を設けても良い。椅子の背もたれに、数か所の高さにポケットを設けた布などでカバーをかけ、ポケットに指圧用押圧器を差しいれれば任意の高さに留めることができ、人が凭れることで適当な押圧が加えられる。これによって、長時間の座位のデスクワークや勉学、また楽器演奏による背中の疲れ、筋肉の凝りによる血行不良を改善できる。
なお、図６においては、腰部や背中を指圧した例を示したが、この他にも、仙骨部や肩甲間部、頸椎、胸部、肩上部、頭部、上肢、下肢、足底部、を指圧することが当然に可能であり、猫背（円背）や腰椎の前湾、後湾また頚椎のストレートネックなどの矯正、背骨、臀部、などの硬結や神経痛に作用して症状を和らげることができる。
【００４２】
本考案によれば、第１押圧部材１０と、第２押圧部材２０とで、異なる部位を押圧する突起（第１突起１２、第２突起２２）を有していることにより、使用者の症状や目的に応じて、突起の配置を容易に選択することができる。例えば、腰回りや肩回りをマッサージしたい時には、第１押圧部材１２を用いて押圧を行えば良いし、背骨矯正を行いたい場合には、第２押圧部材２０を第１押圧部材１０に装着して、あるいは、第２押圧部材２０単体を用いて押圧を行えば良い。また、この他にも、症状に適した突起を配置した部材を用意することで、使用者は目的の押圧を行う突起が配置された部材を選択するだけで、所望の指圧効果を得ることができる。
【００４３】
また、本考案によれば、第１押圧部材１０の裏面１１ｂ側が膨らむように湾曲した曲面に形成されていることにより、体の揺れを誘って、左右への傾き、横向きや斜め向きの動きや姿勢にもフィットして、つぼがずれないようにすることができる。このように身体の体勢を変えたり、体重移動を行った際にも、押圧箇所を追随することができ、長い時間同じ姿勢を保つことによる苦痛をなくして押圧することができる。
【００４４】
また、本実施形態によれば、第１押圧部材１０と第２押圧部材２０との間に、高さ調節部材３０が設けられていることにより、第１突起１２と第２突起２２の相対高さを調節することができ、これによって、それぞれの突起の押圧圧力を調節することが可能となっている。すなわち、第１突起１２の押圧圧力を強くしたい場合には、高さ調節部材３０を設けないことで、第１突起１２の位置を第２突起２２よりも高く配置させて、第１突起１２の押圧圧力を強めることができる。一方で、第２突起２２の押圧圧力を強くしたい場合には、高さ調節部材３０を設けることで、第２突起２２の位置を高くして、第２突起２２の押圧圧力を強めることができる。
【００４５】
また、本実施形態によれば、第１押圧部材１０、第２押圧部材２０および高さ調節部材３０が設けられていることにより、様々な体格の人に適用することができる。例えば、高さ調節部材３０の着脱を行ったり、第１押圧部材１０や第２押圧部材２０を単体で用いることによって、中高生から成人まで多くの人が使用することができる。
【００４６】
また、本実施形態によれば、高さ調節部材３０が、厚みを有する板状に形成されていることにより、第２押圧部材２０全体を均一に高さ調節することができる。さらに、この高さ調節部材３０は、板材に貫通孔３２ａ〜３２ｆを設けるだけで作成することができるため、使用者の好みの厚さの高さ調節部材を容易に製造することができる。
【００４７】
また、本実施形態によれば、第１押圧部材１０の第１突起１２の配置は、仙骨部〜腰椎部にかけての指圧に最適な位置に配置されており、また、上下逆に使用すれば肩甲間部〜頸椎を効果的に指圧することができる配置となっている。一方で、第２押圧部材２０の第２突起２２の配置は、背骨矯正に最適な位置関係となるよう配置されている。このように、押圧部材によって、異なる指圧効果を得ることができる配置となっているため、本考案に係る指圧用押圧器１００の使用者は、押圧する部材を選択するのみで所望の指圧効果を得ることができる。
また、突起の数は好みや体格により増減してさらに機能を強化減弱して加減することができる。
【００４８】
また、本実施形態に係る指圧用押圧器１００は、体格に合ったサイズのものを使用することが望ましく、大、中、小、といった異なるサイズのものを作ることで体格によるツボの相対的な位置の違いに対応することができる。
【００４９】
＜実施形態２＞
図７および図８は、本考案の実施形態２に係る指圧用押圧器である。この実施形態２においては、先の実施形態の第２押圧部材２０の代わりに、第１押圧部材１０に嵌め合わされる第３押圧部材４０を備えていることを特徴とする。なお、同実施形態において、先の実施形態と基本的に同一の構成要素においては、同一符号を付してその説明を簡略化する。
【００５０】
図７は、第１押圧部材１０の第１突起１２と第３押圧部材４０の凹部４３とが、さらに、第３押圧部材４０の第３突起４２と第１押圧部材１０の凹部１４とが、それぞれ嵌め合わされる様子が示されている。
このように、本実施形態に係る指圧用押圧器１００の第１押圧部材１０は、後述する第３押圧部材４０の第３突起４２が嵌合可能な凹部１４をさらに備えている。
【００５１】
第３押圧部材４０は、基板４１と、第３突起４２と、凹部４３と、を備えている。
基板４１は、第１押圧部材１０の本体部１１と同様に、表面４１ａと裏面４１ｂとを有し、表面４１ａ側は平坦に、裏面４１ｂ側は膨らむように湾曲した曲面に形成されている。この裏面１１ｂ側の膨らみは、図８に示すように、第１押圧部材１０の膨らみと同等の厚みを有していても良いし、異なる厚みを有していても良い。
【００５２】
第３突起４２は、第２押圧部材２０の第２突起２２と同様の形状、および、同様の配置に形成されており、これらは前述した第１押圧部材１０の凹部１４に嵌め合わせることができるよう構成されている。
凹部４３は、第１押圧部材１０の第１突起１２に対応する位置に設けられており、第１突起１２と嵌め合わせることができる。
【００５３】
図８は、第１押圧部材１０と第３押圧部材４０が互いに嵌め合わされた状態を示しており、全体として扁平な円盤状に形成することができる。
【００５４】
本実施形態によれば、第１押圧部材１０と第３押圧部材４０のそれぞれの突起が互いに嵌め合わされることにより、突起が隠された扁平な円盤状に形成することができ、意匠的に特徴のある置物のような指圧用押圧器を提供することができる。このように、突起を露見させないために、指圧用押圧器であることを隠すことができ、指圧用押圧器が置かれることで生活感が出てしまうことを防いで、部屋の雰囲気をおしゃれに見せることができる。
【００５５】
また、本実施形態によれば、第１押圧部材１０の裏面１１ｂに形成された膨らみと、第３押圧部材４０の裏面４１ｂに形成された膨らみを、異なる厚みの膨らみに形成することで、子供から成人または高齢者まで幅広い年齢層に適用することができ、さらに、痩せた人から太った人まで様々な体格の人に適用することができる。
【００５６】
なお、第３押圧部材４０を単体のみで使用したい場合には、凹部４３を設ける必要はない。その場合、第３押圧部材４０は、仙骨の形状に沿って配置された突起と、背骨の並びに沿って配置された突起を有し、前記背骨の並びに沿って配置された突起は、前記仙骨の形状に沿って配置された突起よりも低い高さに設定されている指圧用押圧器として使用することができる。
【符号の説明】
【００５７】
１００    指圧用押圧器
１０      第１押圧部材
１１      本体部
１２      第１突起
１３      接続部材
１４      凹部
２０      第２押圧部材
２１      板状部材
２２      第２突起
２３      貫通孔
２４      仙骨用突起
２５      背骨用突起
３０      高さ調節部材
３１      高さ調節部
３２      貫通孔
４０      第３押圧部材
４１      基板
４２      第３突起
４３      凹部
【図１】
0003196999.tif 000003
【図２】
0003196999.tif 000004
【図３】
0003196999.tif 000005
【図４】
0003196999.tif 000006
【図５】
0003196999.tif 000007
【図６】
0003196999.tif 000008
【図７】
0003196999.tif 000009
【図８】
0003196999.tif 000010
【手続補正書】
【提出日】平成27年2月12日(2015.2.12)
【手続補正１】
【補正対象書類名】実用新案登録請求の範囲
【補正対象項目名】請求項５
【補正方法】変更
【補正の内容】
【請求項５】
前記高さ調節部材は、厚みを有する板状に形成され、前記第１突起がそれぞれ貫通可能な複数の貫通孔を備えていることを特徴とする、請求項４に記載の指圧用押圧器。